(57)【要約】【課題】  ダンパー設置位置における騒音を低減させるとともに、循環風量の低減防止を図ることが可能な送風装置を提供すること。【解決手段】  本発明に係る送風装置１は、室内の空気を吸気する吸気口３８と、吸気口３８より吸気された空気を排出する排出口１５と、吸気口３８を介して空気を吸入する吸入手段２と、吸入手段２により吸入された空気を排出口１５へと導くダンパー４とを備えている。ダンパー４は、ダンパー４の下面４ｅが排出口１５を臨む位置に配設され、下面４ｅには、吸入された空気を整流するための整流板３２ａが形成されている。【選択図】  図２
2007205644.tif 000002
【特許請求の範囲】
【請求項１】
室内の空気を吸気する吸気口と、
該吸気口より吸気された空気を排出する排出口と、
前記吸気口を介して前記空気を吸入する吸入手段と、
該吸入手段により吸入された前記空気を前記排出口へと導くダンパーと
を備え、
該ダンパーは、当該ダンパーの下面が前記排出口を臨む位置に配設され、
該下面には、吸入された前記空気を整流するための整流板が形成されること
を特徴とする送風装置。
【請求項２】
前記整流板は、前記下面に形成され、
各整流板は、後端部の延設方向が前記吸気口の開口幅を分割する向きで配設されること
を特徴とする請求項１に記載の送風装置。
【請求項３】
前記整流板は、前端部から前記後端部に進むに従って水平断面幅が連続的に狭められるともに、前記前端部が丸く加工された翼形状となっていることを特徴とする請求項１または請求項２に記載の送風装置。
【請求項４】
前記吸入手段と前記ダンパーとを収納し、前記吸入手段により吸入された空気を前記ダンパーへと導く導通路が形成される本体ケースを有し、
前記導通路の前記ダンパー収納位置近傍には、当該導通路を通過する空気を整流する通路用整流板が形成され、
前記整流板は、前端部を前記通路用整流板の後端部方面に向けて配設されること
を特徴とする請求項１ないし請求項３のいずれか１項に記載の空調装置。
【発明の詳細な説明】
【技術分野】
【０００１】
本発明は、室内の空気を吸気する吸気口と、吸気口より吸気された空気を排出する排出口と、吸気口を介して空気を吸入する吸入手段と、吸入手段により吸入された空気を排出口へと導くダンパーとを備えた送風装置に関する。
【背景技術】
【０００２】
一般的な建築物には、建物内の空調を行うために多くの送風装置が設置されている。特に近年では、居室を有する建物に２４時間換気システムを設置することが義務づけられたことから、浴室空調装置等を室内換気用の送風装置として利用することが多くなっている。
【０００３】
一般的な浴室空調装置は、浴室内の天井裏に設置されることが多いため、浴室内の空気を吸入する吸入口および吸入した空気を浴室に排出する吹出口は、浴室空調装置の下面に形成されている。このため、吸入手段としてシロッコファンを用いて下面より吸入した空気を側方へ排出し、排出された空気を側方視で湾曲形状をなすダンパーにより下方向に位置する吹出口に導いて、空気を浴室内に循環させる構造となっている（例えば、特許文献１参照）。
【特許文献１】特開２００４−３４０４０７号公報（第４−６頁、第１図）
【発明の開示】
【発明が解決しようとする課題】
【０００４】
しかしながら、一般的な浴室空調装置では、シロッコファンよりダンパーへと空気を導く導通路の通路幅が、吹出口の吹出開口幅よりも狭いことが多いので、狭い通路から広い空間へと流れてきた空気がダンパー設置位置において空気の乱れを生ずる傾向があった。特に、側方より流れてくる空気は、ダンパーによって下方向へと気流方向が変更されるので、ダンパー設置位置において気流の乱れが発生する傾向が強かった。
【０００５】
さらに、浴室内の空気を屋外等に排出させるために排気口が形成される浴室空調装置では、ダンパーを回動させることによって、導通路より流れてくる空気を吹出口と排気口とに分流させる構造となっているので、ダンパー設置位置において乱れやすい気流をさらに分流により乱れさせることとなり、排気騒音が増加するとともに、空気の乱れに伴う循環風量の低減を招くという問題があった。
【０００６】
本発明は、上記問題に鑑みてなされたものであり、ダンパー設置位置における騒音を低減させるとともに、循環風量の低減防止を図ることが可能な送風装置を提供することを課題とする。
【課題を解決するための手段】
【０００７】
上記課題を解決するために、本発明に係る送風装置は、室内の空気を吸気する吸気口と、該吸気口より吸気された空気を排出する排出口と、前記吸気口を介して前記空気を吸入する吸入手段と、該吸入手段により吸入された前記空気を前記排出口へと導くダンパーとを備え、該ダンパーは、当該ダンパーの下面が前記排出口を臨む位置に配設され、該下面には、吸入された前記空気を整流するための整流板が形成されることを特徴とする。
【０００８】
また、前記整流板が、前記下面に形成され、各整流板は、後端部の延設方向が前記吸気口の開口幅を分割する向きで配設されるものであってもよい。
【０００９】
さらに、前記整流板は、前端部から前記後端部に進むに従って水平断面幅が連続的に狭められるともに、前記前端部が丸く加工された翼形状となっているものであってもよい。
【００１０】
また、空調装置が、前記吸入手段と前記ダンパーとを収納し、前記吸入手段により吸入された空気を前記ダンパーへと導く導通路が形成される本体ケースを有し、前記導通路の前記ダンパー収納位置近傍には、当該導通路を通過する空気を整流する通路用整流板が形成され、前記整流板が、前端部を前記通路用整流板の後端部方面に向けて配設されるものであってもよい。
【発明の効果】
【００１１】
本発明に係る送風装置によれば、ダンパーの下面に整流板が形成されているので、吸入手段より排出口へと流れていく空気を整流板で整流することによって気流の乱れを生じさせることなく案内することが可能となる。
【００１２】
特に、ダンパーの下面によって排出口を臨む位置にダンパーが配設される場合には、ダンパー下面において吸入手段より流れてくる気流を下方向に方向転換させる必要があり、方向転換に伴い空気の渦等の乱れが生じやすくなる。しかしながら、本発明に係る送風装置では、整流板が下面に形成されているので、整流板により気流が整流されて乱れを生じにくくなり、ダンパー近傍における騒音を低減することが可能となる。
【００１３】
また、整流板は、後端部の延設方向によって排出口の開口幅がほぼ均等に分割される方向に後端部が向けられた状態で形成されるので、導通路よりダンパーの下面へと導かれた空気は、整流板によって排出口に対して均等に分散される。ダンパーの下面に沿って下方向に導かれる空気の流量を均等にすることができるので、排出口近傍における気流の乱れを低減させることができ、騒音の発生を抑制することができる。
【００１４】
さらに、下方向に導かれた空気の流量が均等になるため、排出口において暖められる温風の温度ムラを低減させることができるとともに、浴室内に循環される温風の風量を、排出口の位置にかかわらず均一にすることが可能となる。
【００１５】
また、整流板が、前端部から後端部に進むに従って水平断面幅が連続的に狭められるともに、前端部が丸く加工された翼形状となっているので、整流板の空気抵抗を低減させることができ、より一層騒音の発生を抑制することが可能となる。
【００１６】
さらに、整流板の前端部が通路用整流板の後端部方向に向けられているため、通路用整流板によって導かれた空気を整流板で気流を乱すことなく排出口に案内することができる。このように、整流板を設けることによって、導通路からダンパーへと流れてきた空気を、ダンパーの下面において円滑に整流することができるので、ダンパーの設置箇所における騒音の発生を低減させることが可能となる。
【発明を実施するための最良の形態】
【００１７】
以下、本発明に係る送風装置を浴室空調装置として使用する場合について説明を行う。
【００１８】
図１は、浴室空調装置を示した斜視図であり、図２は、浴室空調装置を示す側方断面図である。浴室空調装置１は、ファンユニット２と、本体ケース３と、ダンパー４と、ケース下蓋５と、ヒータ６と、フロントパネル７とを有している。
【００１９】
ファンユニット２は、ファンモータ８とシロッコファン９とを有している。シロッコファン９は、円盤状の基盤９ａの周縁部に複数の翼９ｂが配設されたものであり、基盤９ａの中心にはファンモータ８の回転軸８ａが固定される。ファンモータ８の駆動により回転軸８ａに駆動力が加えられると、シロッコファン９が回転軸８ａとともに回転し、基盤９ａ前方の空気をシロッコファン９の翼９ｂを介してシロッコファン９の側方へと吸入する。
【００２０】
本体ケース３は、下方に解放された開口を有す箱体であり、図３に示すように、ファンユニット２を設置するためのファン収納部１２と、ダンパー４を収納するためのダンパー収納部１３とが形成されている。
【００２１】
ファン収納部１２は、シロッコファン９の直径よりも拡径の略円柱状凹所であり、ファンモータ８を本体ケース３の上面部に設置し、ファン収納部１２の中心に形成される開口より回動軸８ａを突出させた状態でシロッコファン９をファン収納部１２に収納することによって、シロッコファン９の基盤９ａ中心を回動軸８ａの先端に固定する構造となっている。
【００２２】
ファン収納部１２の側壁面１２ｂとシロッコファン９の外周側９ｃとの間には、図３に示すように、吸入された空気を通すための狭通路２０が、シロッコファン９の外周側９ｃに沿って反時計回りに約３／４周程度延設されている。さらに、狭通路２０は、狭通路２０を通る空気をダンパー収納部１３へと導く拡通路２１に連通されている。
【００２３】
拡通路２１は、狭通路２０からダンパー収納部１３へと進むに従って通路幅が拡幅されており、通路の一の側壁２１ａはファン収納部１２の側壁面１２ｂからダンパー収納部１３へと延設される側壁により形成され、他の側壁２１ｂは、シロッコファン９の外周側９ｄと、狭通路２０とダンパー収納部１３との境界を形成する舌状壁部２２の側壁２２ａとにより形成されている。
【００２４】
拡通路２１には、３つの通路整流板２５ａ〜２５ｃが形成されており、各通路整流板２５ａ〜２５ｃは、拡通路２１の通路幅に対してほぼ均一の間隔を保つようにして本体ケース３の上面に配設される。各通路整流板２５ａ〜２５ｃは、狭通路２０より流れてきた空気をダンパー収納部１３へとスムーズに誘導させるために、緩やかにカーブしており、その後端は、拡通路２１の通路幅の拡幅に応じて徐々に広がるように間隔があけられている。
【００２５】
ダンパー収納部１３は、ダンパー４を回動自在に収納することが可能な略直方体の凹所であり、ダンパー収納部１３の下方にはヒータ６が設置されると共に、後述する吹出口（排出口）１５が形成され、ダンパー収納部１３の側壁には、屋外に空気を排気するための排気口（排出口）１６が形成されている。
【００２６】
ダンパー４は、平面視略長方形状を呈し、図２に示すように側方視で中央部が上側凸状となる緩やかな湾曲形状を有している。ダンパー４の下端部には軸４ａが形成されており、この軸４ａの両端はダンパー収納部１３の側壁に回動自在に軸支される。また、ダンパー４の下面にはリブ４ｂが形成されており、このリブ４ｂには浴室空調装置１の運転モードに応じて回動されるカム１８の突起部１９を案内するガイド孔４ｃが形成されている。カム１８が回動するとその回動角度に応じて突起部１９の停止位置が変化してダンパー４の回動角度の調整が行われる。
【００２７】
ダンパーの拡通路２１側の端部、つまり、ダンパー収納部１３へと流れてくる気流の上流側の端部には、図４（ａ）、図４（ｂ）、図５（ａ）、図６（ｂ）、図９（ａ）に示すように先端部が滴状に膨実した側面視で略半球状を呈する凸状湾曲部３０が形成されている。凸状湾曲部３０は、後述する半開位置にダンパー４が回動された場合に、滴状底部３０ａ（図９（ａ）参照）が流入される気流の上流側を臨むようにしてダンパー４の先端に形成される。また、凸状湾曲部３０の上下幅Ｌ１はダンパー４本体の肉厚Ｌ２よりも厚くなっており、凸状湾曲部３０の外表面とダンパー４の上面４ｄおよび下面４ｅとは、連続面によって繋がっている。
【００２８】
ダンパー４の上面４ｄには、図５（ａ）、図５（ｂ）、図６（ａ）に示すように、上面４ｄに沿って流れてくる空気を排気口１６へと導くための上面整流板（整流板）３１が複数形成されている。各上面整流板３１は、ダンパー４の短手方向に沿って並列に形成されており、各上面整流板３１は後端部を排気口１６方向に向けて配設されている。
【００２９】
また、上面整流板３１は、前端部から後端部に進むに従って水平断面幅が連続的に狭められるともに、前端部の角部が丸く加工された翼形状となっている。さらに、ダンパー４が排気口１６を塞ぐ位置に回動された場合に、前部上面３１ａおよび後部上面３１ｂとダンパー収納部１３の壁面とが接触してダンパー４と排気口１６との間に隙間が生じることがないように、上面整流板３１の前部上面３１ａおよび後部上面３１ｂは、端部に進む従って高さが低くなる傾斜面によって構成されている。このような傾斜面を前部上面３１ａおよび後部上面３１ｂに形成することによって、図２に示すようにダンパー４が排気口１６を塞ぐ位置に回動された場合であっても、ダンパー４と排気口１６との間に隙間を形成することなく、上側整流板３１をダンパー４の上面４ｄとダンパー収納部１３の側壁との間に収納させることが可能となる。
【００３０】
また、ダンパー４の下面４ｅには、図３、図４（ａ）、図４（ｂ）、図６（ｂ）に示すように、下面４ｅに沿って流れてくる空気を吹出口１５へと導くための下面整流板３２ａ〜３２ｃが３個形成されている。各下面整流板３２の前端部３３ａ〜３３ｃは、拡通路２１に形成された通路整流板２５ａ〜２６ｃの後端部方向に向けられており、各通路整流板２５ａ〜２５ｃによってダンパー収納部１３へ導かれた空気を各下面整流板３２が引き継ぐようにして整流することにより、気流の乱れを抑えることが可能となる。
【００３１】
さらに、各下面整流板３２の後端部３４ａ〜３４ｃは、吹出口１５方向に向けられており、各後端部３４ａ〜３４ｃの延設方向（延長線３５）によって排気口１６の開口（図２に示す開口幅Ｌ３）がほぼ均等に分割される方向に後端部３４ａ〜３４ｃを向けた状態で下面整流板３２が配設されている。
【００３２】
また、下面整流板３２は、上面整流板３１と同様に、前端部３３ａ〜３３ｃから後端部３４ａ〜３４ｃに進むに従って水平断面幅が連続的に狭められ、前端部３３ａ〜３３ｃの角部が丸く加工された翼形状に形成されている。
【００３３】
ファンカバーとしてのケース下蓋５は、図１、図２に示すように、本体ケース３の下面を覆うようにして設置される。ケース下蓋５には、シロッコファン９の中心部へ空気を導くための吸入孔５ａと、ダンパー収納部１３へと運ばれてきた空気を屋内へ循環させるための吹出孔５ｂとが形成されている。吸入孔５ａはシロッコファン９の基盤９ａ正面を臨むようにして形成された円形状の開口であり、吹出孔５ｂはダンパー収納部１３を臨むようにして形成される略四角形状の開口である。このケース下蓋５が本体ケース３の下面に設置されることにより、狭通路２０と拡通路２１との下面がケース下蓋５によって構成されることとなる。
【００３４】
ケース下蓋５の吹出孔５ｂには、ヒータ６が設置されている。ヒータ６には、ＰＴＣヒータが用いられており、吸入孔５ａなどに設けられる図示しないサーミスタ等の温度センサにより暖められた空気の温度を計測することによって、ヒータ６のＯＮ／ＯＦＦ制御が行われる。
【００３５】
ケース下蓋５が設置された本体ケース３の下面には、フロントパネル７が設置されている。フロントパネル７には、ケース下蓋５の吸入孔５ａに対応する位置に吸入口（吸気口）３８が形成され、さらにケース下蓋５の吹出孔５ｂに対応する位置に吹出口１５が形成されている。吸入口３８には、埃の吸入を防止するためのフィルタ３９が着脱可能に取り付けられている。浴室空調装置１は、本体ケース３を天井裏方向に突出させるようにして天井面４０に固定され、フロントパネル７だけを浴室の天井面４０に露呈させた状態で浴室に設置される。
【００３６】
次に、このようにして構成される浴室空調装置１が稼働する場合について説明する。
【００３７】
浴室空調装置１を動作させる場合、ユーザーは浴室の脱衣所等に設置される操作パネル４０（図７参照）を操作することによって運転モードの選択を行う。具体的には、浴室の暖房を行う暖房モード、浴室の換気を行う換気モード、浴室や衣類の乾燥を行う乾燥モード、浴室に涼風を導き入れる涼風モードを選択する。さらにマンション等の２４時間換気を行う必要がある建物では、浴室空調装置１の運転モードが選択されていない場合に２４時間換気モードの運転が行われる。
【００３８】
ユーザーにより運転モードの選択が行われると、図７に示すように、選択された運転モード情報が浴室空調装置１に設置される制御部４１に伝達される。制御部４１では、選択された運転モードに応じてカム駆動用モータ４２を駆動させてカム１８の回動角度を制御し、ダンパー４の回動位置を全開、半開、全閉のいずれかに調整する。さらに制御部４１は、選択された運転モードに応じて、ファンユニット２のファンモータ８を駆動させてシロッコファン９の回転速度を強、弱のいずれかに調整するとともに、ヒータ６のＯＮ／ＯＦＦ制御を行う。
【００３９】
なお、ダンパー４の回動位置が全閉の状態とは、図２に示すように、排気口１６を塞ぐ位置にダンパー４を回動させて狭通路２０、拡通路２１を通って流れてくる空気を吹出口１５へと導く状態（図２の矢印Ａから矢印Ｂに示す空気の流れ参照）を意味し、全開の状態とは、図８（ａ）に示すように、吹出口１５を塞ぐ位置にダンパー４を回動させて狭通路２０、拡通路２１を通って流れてくる空気を排気口１６へと導く状態（図８（ａ）の矢印Ａから矢印Ｃに示す空気の流れ参照）を意味し、半開の状態とは、狭通路２０、拡通路２１を通って流れてくる空気を、吹出口１５と排気口１６との両方に導くために、ダンパー４を図８（ｂ）に示す中間位置に回動させた状態（図８（ｂ）の矢印Ａから矢印Ｂおよび矢印Ａから矢印Ｃに示す空気の流れ参照）を意味する。
【００４０】
次に、浴室空調装置１の稼働動作を運転モード毎に分けて説明する。
【００４１】
＜暖房モードの場合＞
ユーザーにより暖房モードの設定が行われると、制御部４１は、図２に示すように、ダンパー４を全閉位置に回動させるとともに、シロッコファン９の回転速度を強に設定し、ヒータ６をＯＮにする。シロッコファン９の回転速度が強に設定されると、シロッコファン９の回転に伴って吸入口３０より浴室内の空気が本体ケース３内へと吸入される。
【００４２】
吸入された空気は、シロッコファン９の翼９ｂの間を通って狭通路２０へと案内され、拡通路２１へと導かれる。拡通路２１では、拡通路２１の通路幅が狭通路２０の通路幅に比べて広くなっているため気流が乱れやすくなるが、拡通路２１に通路整流板２５ａ〜２５ｃが設けられているので、拡通路２１において気流を乱すことなく空気をダンパー収納部１３へと導くことが可能となる。
【００４３】
ダンパー収納部１３では、ダンパーが全閉位置に回動されているため、図２に示すように、ダンパー４の凸状湾曲部３０の上部が本体ケース３の上面に当接し、ダンパー４の上面４ｄによって排気口１６が塞がれた状態となっている。このため、ダンパー収納部１３へと導かれた空気は、ダンパー４の下面４ｅに沿って下方向へと空気の流れ方向を変更させてヒータ６へと流れて行くこととなる。
【００４４】
このとき、ダンパー４の下面４ｅには下面整流板３２ａ〜３２ｃが形成されており、各下面整流板３２ａ〜３２ｃの前端部３３ａ〜３３ｃが狭通路２０に形成される各通路整流板２５ａ〜２５ｃの後端部方向に向けられているので、各通路整流板２５ａ〜２５ｃによってダンパー４の下面４ｅへと導かれた空気は、下面整流板３２ａ〜３２ｃにより整流され、その気流を乱すことなく吹出口１５へと案内される。このように、ダンパー４の下面４ｅに形成される下面整流板３２により、拡通路２１からダンパー収納部１３へと流れてきた空気の乱れを低減させることができるので、ダンパー収納部１３における騒音の発生を減少させることができる。
【００４５】
特に、下面整流板３２ａ〜３２ｃは、前端部３３ａ〜３３ｃから後端部３４ａ〜３４ｃに進むに従って水平断面幅が連続的に狭められるともに、前端部３２ａ〜３２ｃの角部が丸く加工された翼形状となっているので、下面整流板３２ａ〜３２ｃの空気抵抗を低減させることができ、風切り音等の騒音を一層減少させることが可能となる。
【００４６】
また、各下面整流板３２ａ〜３２ｃは、各後端部３４ａ〜３４ｃの延設方向（延長線３５）によって吹出口１５の開口がほぼ均等に分割される方向に各後端部３４ａ〜３４ｃを向けた状態で、ダンパー４の下面４ｅに形成されているので、拡通路２１よりダンパー４の下面４ｅへと導かれた空気は、下面整流板３２によって吹出口１５へ均等に分散されるようにして案内される。このように、ダンパー４の下面４ｅに沿って導かれた空気の流量を吹出口１５において均等にすることができるので、吹出口１５近傍における気流の乱れを低減させることができ、騒音の発生を抑制することが可能となる。
【００４７】
さらに、吹出口方向へと導かれた空気の流量が均等になるため、ヒータ６に対して空気を均等に導入することができる。このため、ヒータ６により暖められる温風の温度ムラを低減することができ、浴室内に循環される温風の風量および温度を、吹出口１５の位置にかかわらず均一にすることが可能となる。
【００４８】
このようにして、ヒータ６により暖められた空気が浴室内に循環され、浴室の暖房が行われる。
【００４９】
＜換気モードおよび２４時間換気の場合＞
ユーザーにより換気モードの設定が行われると、制御部４１は、図８ａに示すように、ダンパー４を全開位置に回動させるとともに、シロッコファン９の回転速度を強に設定し、ヒータ６をＯＦＦにする。シロッコファン９の回転速度が強に設定されると、シロッコファン９の回転に伴って吸入口３０より浴室内の空気が本体ケース３内に吸入される。
【００５０】
吸入された空気は、シロッコファン９の翼９ｂの間を通って狭通路２０へと案内され、拡通路２１へと導かれる。拡通路２１では、拡通路２１の通路幅が狭通路２０の通路幅に比べて広くなっているため気流が乱れやすくなるが、拡通路２１に通路整流板２５ａ〜２５ｃが設けられているので、拡通路２１において気流を乱すことなく空気をダンパー収納部１３へと導くことが可能となる。
【００５１】
ダンパー収納部１３では、ダンパーが全開位置に回動されているため、図８（ａ）に示すように、ダンパー４の凸状湾曲部３０の下部がケース下蓋５に当接し、ダンパー４の下面４ｅにより吹出口１６が塞がれた状態となっている。このため、ダンパー収納部１３へと導かれた空気は、ダンパー４の上面４ｄ側のダンパー収納部１３空間へと流れ込み、ダンパー収納部１３を経由して排気口１６へと導かれる。
【００５２】
このとき、ダンパー４の上面４ｄには、上面整流板３１が形成されているため、ダンパー４の上面４ｄに沿って通過する空気は上面整流板３１によって整流されつつ排気口１６方向へと導かれる。このように、上面整流板３１で排気口１６へ向かう気流を整流することができるので、ダンパー収納部１３を通過する空気の騒音を低減させることが可能となる。
【００５３】
特に、上面整流板３１が、後端部を排気口１６に向けて設置されており、ダンパー４の上面４ｄに導かれた空気は上面整流板３１によって整流されつつ排気口１６へと導かれるので、ダンパー収納部１３において空気の渦等が発生することを低減することができ、ダンパー４の上面４ｄを通過する空気の騒音をさらに低減させることが可能となる。
【００５４】
また、上面整流板３１を設けることによって気流の流れを円滑にすることができるので、浴室空調装置１における空気の排気効率を向上させることが可能となる。
【００５５】
上面整流板３１により整流された空気は、上述したようにして排気口１６へと導かれて浴室外に排出され、浴室の換気が行われる。
【００５６】
なお、２４時間換気を行う場合、制御部４１は、ダンパー４を全開位置に回動させるとともに、シロッコファン９の回転速度を弱に設定し、ヒータ６をＯＦＦにする。２４時間換気モードでは、本体ケース３内に導入される空気の風速が弱くなるという違いはあるが、上述した換気モードと同様の経路を経て空気が吸入・排出されることとなる。
【００５７】
このため、２４時間換気を行う場合であっても、本発明に係る浴室空調装置１を用いることによって、空気の乱れにより発生する騒音を抑制させることが可能となる。特に、２４時間換気を行う場合には、深夜にもファンユニット２が稼働することとなるので、浴室空調装置１を用いることによってユーザーに浴室空調装置１の稼働を意識させることなく屋内の換気を行うことが可能となる。
【００５８】
＜乾燥モードおよび涼風モードの場合＞
次に、乾燥モードおよび涼風モードが選択された場合について説明する。ここで、乾燥モードとは、浴室内に図示しないランドリーパイプを設置し、このランドリーパイプにつるされた衣類等の乾燥を行う運転モードであり、涼風モードとは、浴室内に常温の風を送風することによって、夏季などに入浴者が浴室空調装置１を扇風機のように使用することができる運転モードである。
【００５９】
ユーザーにより乾燥モードの設定が行われると、制御部４１は、図８（ｂ）に示すように、ダンパー４を半開位置に回動させるとともに、シロッコファン９の回転速度を強に設定し、ヒータ６をＯＮにする。シロッコファン９の回転速度が強に設定されると、シロッコファン９の回転に伴って吸入口３０より浴室内の空気が本体ケース３内に吸入される。
【００６０】
吸入された空気は、シロッコファン９の翼９ｂの間を通って狭通路２０へと案内され、拡通路２１へと導かれる。拡通路２１に導かれた空気は、上述した暖房モード、換気モードおよび２４時間換気モードと同様に通路整流板２５ａ〜２５ｄによって整流されるため、気流の乱れを生じさせることなく空気をダンパー収納部１３へ案内することが可能となる。
【００６１】
ダンパー収納部１３では、ダンパーが半開位置に回動されているため、ダンパー収納部１３に導かれた空気は、ダンパー４の先端に形成された凸状湾曲部３０によって上下に分割される。このとき、凸状湾曲部３０が滴状に膨実して側面視で半球状の断面を形成するとともに、凸状湾曲部３０の上下幅Ｌ１がダンパー４本体の肉厚Ｌ２よりも厚くなっているので、ダンパー収納部１３へと流れてくる空気は、ダンパー４の先端部において凸状湾曲部３０の表面の膨らみに沿って上面または下面へと分割されて導かれることとなる。このように、凸状湾曲部３０の膨らみに沿って空気が剥離や渦を発生させることなく上下に分かれるので、ダンパー４の先端部における騒音を低減させることが可能となる。
【００６２】
さらに、凸状湾曲部３０は連続面によってダンパー４本体の上面４ｄおよび下面４ｅに繋がっているので、凸状湾曲部３０により分割された空気の一部は、気流の乱れを生じさせることなく凸状湾曲部３０の上面に沿ってダンパー４の上面整流板３１に導かれ、残りの空気も、気流の乱れを生じさせることなく凸状湾曲部３０の下面４ｅに沿ってダンパーの下面整流板３２ａ〜３２ｃへと導かれる。
【００６３】
ダンパー４の上面整流板３１に導かれた空気は、換気モードおよび２４時間換気の場合において既に説明したように、上面整流板３１によって整流されつつ排気口１６方向へと導かれるので、ダンパー４の上面４ｄに沿って通過する空気の騒音を低減させることができる。
【００６４】
特に、上面整流板３１が、後端部を排気口１６に向けて設置されており、ダンパー４の上面４ｄに導かれた空気は上面整流板３１によって整流されつつ排気口１６へと導かれるので、ダンパー収納部１３において空気の渦等が発生することを低減することができ、ダンパー４の上面４ｄを通過する空気の騒音をさらに低減させることが可能となる。
【００６５】
また、ダンパーの下面整流板３２ａ〜３２ｃに導かれた空気は、暖房モードの場合において既に説明したように、下面整流板３２ａ〜３２ｃによって整流されつつ吹出口１５へと導かれるので、ダンパー４の下面４ｄに沿って通過する空気の騒音を低減させることができる。
【００６６】
また、各下面整流板３２ａ〜３２ｃは、各後端部３４ａ〜３４ｃの延設方向（延長線３５）によって吹出口１５の開口がほぼ均等に分割される方向に後端部３４ａ〜３４ｃを向けるようにして形成されているので、ダンパー４の下面４ｅに沿って下方向に導かれた空気の流量が吹出口１５近傍で均等になり、吹出口１５近傍における気流の乱れおよび騒音を抑制することが可能となる。
【００６７】
さらに、下方向に導かれた空気の流量が均等になるため、ヒータ６を介して暖められた温風の温度ムラを低減させることができるとともに、浴室内に循環される温風の風量を、吹出口１５の位置にかかわらず均一にすることが可能となる。
【００６８】
また、上面整流板３１および下面整流板３２ａ〜３２ｃは、前端部から後端部に進むに従って水平断面幅が連続的に狭められるともに、前端部の角部が丸く加工された翼形状となっているので、上面整流板３１および下面整流板３２ａ〜３２ｃの空気抵抗を低減させることができ、風切り音等の騒音を一層低減させることが可能となる。
【００６９】
なお、涼風モードが選択された場合には、ヒータ６がＯＦＦされること以外、乾燥モードと同様の動作が行われる。
【００７０】
以上説明したように、浴室空調装置１では、ダンパー４の先端部に滴状に膨実した側面視半球状を呈する凸状湾曲部３０が形成されているので、ダンパー４先端により分割される空気は、凸状湾曲部３０の湾曲面に沿って円滑に空気が分流されることとなり、ダンパー４先端部における風切り音等を低減させることができる。
【００７１】
また、凸状湾曲部３０の上下幅Ｌ１がダンパー４本体の肉厚Ｌ２よりも厚くなっているので、上流側より流れてくる空気を、ダンパーの先端部において気流を乱すことなく凸状湾曲部の表面の膨らみに沿って上面または下面へと導くことができ、ダンパー４先端部における騒音を低減させることが可能となる。
【００７２】
さらに、凸状湾曲部３０が連続面によってダンパー４本体の上面４ｄおよび下面４ｅに繋がっているため、凸状湾曲部３０により分割された空気の一部は、気流の乱れを生じさせることなく凸状湾曲部３０の上面に沿ってダンパー４の上面整流板３１に導かれ、残りの空気も気流の乱れを生じさせることなく凸状湾曲部３０の下面に沿ってダンパー４の下面整流板３２ａ〜３２ｃへと導かれる。このように、ダンパー４の先端で分割された気流が円滑に上面整流板３１または下面整流板３２ａ〜３２ｃへと導かれるので、ダンパーの前部における騒音の発生を低減させることができる。
【００７３】
また、ダンパー４の上面に上面整流板３１が形成されているので、凸状湾曲部３０からダンパー４の上面４ｄに沿って流れてきた空気の乱れを抑制することができ、騒音の低減を図ることが可能なる。
【００７４】
さらに、上面整流板３１を設けることによって気流の流れを円滑にすることができるので、浴室空調装置１における空気の排気効率を向上させることが可能となる。
【００７５】
特に、上面整流板３１は後端部３２ｂを排気口１６に向けて設置されており、ダンパー４の上面整流板３１に導かれた空気は上面整流板３１によって整流されつつ排気口１６方向へと導かれるので、ダンパー収納部１３において空気の渦等が発生することを低減することができ、ダンパー４の上面４ｄを通過する空気の騒音を低減させることが可能となる。
【００７６】
また、ダンパー収納部１３の下面に下面整流板３２ａ〜３２ｃが形成されているので、ダンパー収納部１３へと導かれた空気を、気流の乱れを生じさせることなく下方向へと案内させることが可能となる。
【００７７】
特に、各下面整流板３２ａ〜３２ｃの前端部３３ａ〜３３ｃが狭通路２０に形成される各通路整流板２５ａ〜２５ｃの後端部方向に向けられているため、各通路整流板２５ａ〜２５ｃによって導かれた空気を下面整流板３２ａ〜３２ｃで気流を乱すことなく吹出口１５に案内することができる。このように、下面整流板３２ａ〜３２ｃを設けることによって、拡通路２１からダンパー収納部１３へと流れてきた空気を、ダンパー収納部１３において円滑に整流することができるので、ダンパー収納部１３における騒音の発生を低減させることが可能となる。
【００７８】
また、各下面整流板３２ａ〜３２ｃは、各後端部３４ａ〜３４ｃの延設方向（延長線３５）によって吹出口１５の開口がほぼ均等に分割される方向に後端部３４ａ〜３４ｃが向けられた状態で形成されるので、拡通路２１よりダンパー４の下面４ｅへと導かれた空気は、下面整流板３２ａ〜３２ｃによって吹出口１５に対して均等に分散されるようにして案内される。ダンパー４の下面４ｅに沿って下方向に導かれる空気の流量を均等にすることができるので、吹出口１５近傍における気流の乱れを低減させることができ、騒音の発生を抑制することができる。
【００７９】
さらに、下方向に導かれた空気の流量が均等になるため、ヒータ６を介して暖められた温風の温度ムラを低減させることができるとともに、浴室内に循環される温風の風量を、吹出口１５の位置にかかわらず均一にすることが可能となる。
【００８０】
また、上面整流板３１および下面整流板３２ａ〜３２ｃが、前端部から後端部に進むに従って水平断面幅が連続的に狭められるともに、前端部の角部が丸く加工された翼形状となっているので、上面整流板３１および下面整流板３２ａ〜３２ｃの空気抵抗を低減させることができ、風切り音等の騒音を一層低減させることが可能となる。
【００８１】
以上、本発明に係る送風装置を浴室空調装置１に使用した実施形態を、運転モード毎に場合分けをして説明したが、本発明に係る空調装置は上述した実施形態に限定されるものではない。いわゆる当業者であれば、特許請求の範囲に記載された範疇内において各種の変更例または修正例に想到しうることは明らかであり、それらについても当然に本発明の技術的範囲に属するものと了解される。
【００８２】
例えば、ダンパー４の先端部に形成される凸状湾曲部は実施形態において説明した形状のものに限定されるものではない。例えば図９（ａ）に示すように、先端が丸められた側面視釣り針状を呈する凸状湾曲部４１であってよく、また、図９（ｂ）に示すように、側面視で円筒状の断面を有する円筒部材をダンパーの先端部に設けた凸状湾曲部４２であってもよい。このように構成される凸状湾曲部４１、４２であっても、流入された空気を先端部の曲面により円滑に上下に分割することができるので、ダンパー先端部における騒音の低減を図ることが可能である。
【００８３】
また、上記実施形態では、上面整流板３１を図５、図６に示すようにダンパー４の上面４ｄに８個設置し、下面整流板３２ａ〜ｃを図３、図４、図６に示すようにダンパー４の下面４ｅに３個設置したが、上面整流板３２および下面整流板３２の設置個数はこれら限定されるものではなく、空気の整流を行うことが可能であるならばいくつ設けられていても良い。
【００８４】
さらに、上記実施形態では、１台のファンユニットを用いて空気の換気（循環）と排気とを行う空調装置を説明したが、換気用のファンユニットと排気用のファンユニットとの両方を備えた送風装置であっても、本発明に係る送風装置の構成を適用することによって、同様の効果を奏することが可能である。
【００８５】
また、上述した実施形態では浴室用空調装置についての説明を行ったが、本発明に係る送風装置は浴室用の空調装置に限定されるものではなく、浴室以外に用いられる空調装置であってもよい。
【図面の簡単な説明】
【００８６】
【図１】実施形態に係る浴室空調装置を示した斜視図である。
【図２】ダンパーが全閉状態にある浴室空調装置を示した側方断面図である。
【図３】ファンユニットおよびダンパーが設置された本体ケースを下面より示した底面図である。
【図４】ダンパーを斜め下方向より示した斜視図である。
【図５】ダンパーを斜め上方向より示した斜視図である。
【図６】（ａ）はダンパーの上面図を示し、（ｂ）はダンパーの底面（下面）図を示している。
【図７】本実施形態に係る浴室空調装置の制御構成を示したブロック図である。
【図８】（ａ）は、ダンパーが全開状態にある浴室空調装置を示した側方断面図であり、（ｂ）は、ダンパーが半開状態にある浴室空調装置を示した側方断面図である。
【図９】（ａ）は実施形態に係るダンパーを示した側方斜視図であり、（ｂ）、（ｃ）は他の形態に係るダンパーを示した側方斜視図である。
【符号の説明】
【００８７】
１     …浴室空調装置
２     …ファンユニット
３     …本体ケース
４     …ダンパー
４ａ   …（ダンパーの）軸
４ｂ   …リブ
４ｃ   …ガイド孔
４ｄ   …（ダンパーの）上面
４ｅ   …（ダンパーの）下面
５     …ケース下蓋
６     …ヒータ
７     …フロントパネル
８     …ファンモータ
８ａ   …回転軸
９     …シロッコファン
９ａ   …基盤
９ｂ   …翼
９ｃ、９ｄ   …（シロッコファンの）外周側
１２   …ファン収納部
１２ｂ  …（ファン収納部の）側壁面
１３   …ダンパー収納部
１５   …吹出口
１６   …排気口
１８   …カム
１９   …突起部
２０   …狭通路
２１   …拡通路（導通路）
２１ａ  …（拡通路の）側壁
２１ｂ  …（拡通路の）側壁
２２   …舌状壁部
２２ａ  …（舌状壁部の）側壁
２５ａ〜２５ｃ  …通路整流板（通路用整流板）
３０、４１、４２   …凸状湾曲部
３１   …上面整流板
３１ａ  …（上面整流板の）前部上面
３１ｂ  …（上面整流板の）後部上面
３２ａ〜３２ｃ   …下面整流板（整流板）
３３ａ〜３３ｃ   …（下面整流板の）前端部
３４ａ〜３４ｃ   …（下面整流板の）後端部
３５   …（下面整流板の）延長線
３８   …吸入口（吸気口）
３９   …フィルタ
４０   …天井面
【図１】
2007205644.tif 000003
【図２】
2007205644.tif 000004
【図３】
2007205644.tif 000005
【図４】
2007205644.tif 000006
【図５】
2007205644.tif 000007
【図６】
2007205644.tif 000008
【図７】
2007205644.tif 000009
【図８】
2007205644.tif 000010
【図９】
2007205644.tif 000011